(57)【要約】  【課題】公園、幼稚園、学校などに設置されている砂場の犬猫の糞、プラスチックやガラス片、石やその他のゴミ類などの夾雑物を走行しながら或いは停車した状態で篩にかけて効率よく素早く選別して取り除き、砂場を安全且つきれいに清掃するための砂場清掃篩機を提供する。  【解決手段】左右一対の走行用車輪、原動機及びハンドルを備えた車体と、砂等を掻き上げる複数枚の砂掻片が円周方向に配設されたローターと、夾雑物を分別する網状の篩籠と、該篩籠の左右両側に高さ調節可能に設けられた支持脚部の先端に補助車輪と交換可能に取り付けられた足板部と、前記篩籠が作動中において前記篩籠を水平乃至水平に近い適宜角度に維持するための水平調節手段と、前記原動機の回転運動を減速し、クランク機構によって往復運動に変えて篩籠に伝達する伝動機構とを備えてなる。  【選択図】      図１
2008025209.tif 000002
【特許請求の範囲】
【請求項１】
左右一対の走行用車輪、該走行用車輪を回転させる原動機及びハンドルを備えた車体と、前記走行用車輪の後ろ側に夾雑物の混入した砂等を掻き上げる複数枚の砂掻片が円周方向に配設されたローターと、前記ローターの後ろ側に夾雑物の混入した砂をほぼ水平方向に往復運動する網の上に載せて夾雑物を分別する網状の篩籠と、該篩籠の左右両側に高さ調節可能に設けられた支持脚部の先端に補助車輪と交換可能に取り付けられた足板部と、前記篩籠が作動中において前記篩籠を水平又は水平に近い適宜角度に維持するための水平調節手段と、前記原動機の回転運動を減速し、クランク機構によって往復運動に変えて篩籠に伝達する伝動機構とを備えてなる砂場清掃篩機であって、前記車体を走行させながら作業を行う砂場清掃機としての機能と共に、車体の走行を停止した状態で作業を行う篩機としての機能を有することを特徴とする砂場清掃篩機。
【請求項２】
前記篩籠は、車体に連結された躯体部底部に設けられた篩籠支持用車輪の上に水平方向に移動自在に且つ着脱自在に載置され、前記躯体部は、左右両側に設けられた、長さ調節自在で、その先端には足板部が補助車輪と交換可能に取り付けられてなる支持脚部に支持され、前方部が水平調節手段を介して車体に連結され、前記水平調節手段の切り換えによって、砂場清掃機及び篩機の作動中において篩籠は水平又は水平に近い適宜角度に維持されることを特徴とする請求項１記載の砂場清掃篩機。
【請求項３】
前記篩籠は、底部と側部の中の少なくとも底部に帳設される網が格子状又は櫛状の何れかからなり、これらの篩籠の何れかを選択して交換可能に取り付けてなることを特徴とする請求項１又は２記載の砂場清掃篩機。
【請求項４】
前記篩籠が、水平方向に往復運動すると共に持ち上げられ落下される動作を繰り返すことにより、又は外的手段により篩籠を叩いて篩籠に上下方向の衝撃が加えられることを特徴とする請求項１又は２記載の砂場清掃篩機。
【請求項５】
篩籠若しくは篩籠に取り付けられて篩籠とともに往復運動するものが、往復運動する前後方向において、それらが衝突する位置に弾性体を設け、この弾性体に衝突したときの反発力によって篩籠の篩作用を向上させることを特徴とする請求項１又は２記載の砂場清掃篩機。
【請求項６】
前記原動機の回転運動を減速し、クランク機構によって往復運動に変えて篩籠に伝達する伝動機構において、伝動シャフトは、大小２種類のシャフトが互いに入れ子式にスライドして伸縮自在に結合されてなり、その一方のシャフトのスライド部に適宜間隔を開けて複数の長孔が形成され、他方のシャフトのスライド部には丸孔が形成され、伝動シャフトが所望の長さになるように長孔を適宜選択して丸孔と重ね合わせ、両孔にピンを貫着し、両シャフトを長孔の距離の範囲内でスライド可能に結合してなり、前記篩籠が弾性体に衝突したときの反発力により前記２種類のシャフトが長孔の距離の範囲内でスライドすることを特徴とする請求項１、２又は５記載の砂場清掃篩機。
【発明の詳細な説明】
【技術分野】
【０００１】
本発明は、公園、幼稚園、学校などに設置されている砂場の犬猫の糞、プラスチックやガラス片、石やその他のゴミ類などの夾雑物を走行しながら或いは停車した状態で篩にかけて効率よく素早く選別して取り除き、砂場を安全且つきれいに清掃するための砂場清掃篩機に関する。
【背景技術】
【０００２】
従来、この種の砂場清掃機は、清掃機を走行しながら分別作業をする、いわゆる清掃専用機としての機能しか備わっていなかった（特許文献１参照）。因みに従来の砂場清掃機は支持脚部を高くすると篩籠が前方に急角度で傾き篩の用をなさなかった。また、通常砂場清掃機を使用して清掃する際には、走行車輪が周壁と接触するのを避けるために清掃機を砂場の周壁よりも内側を走行させる関係上、一般に砂場の周壁際に取り残しを生ずる。更に、砂場の状況によっては、砂場清掃機を使用できない場合がある。このような場合に、やむを得ず、篩機を使って手作業で夾雑物を分別せざるを得ず、清掃作業の効率が低下する原因となるばかりでなく、労働衛生上も問題であった。
【０００３】
また、従来の砂場清掃機は、構造上、篩籠の篩動作の距離を短くして短時間に多数振動させる振動方式を採用しており、湿った砂の場合、網目に詰まり、砂が籠から溢れ、砂の重みで振動が弱くなり、篩効率が悪く作業効率の低下を招く原因となっていた（特許文献１及び特許文献２参照）。また、特許文献３に示す前部沈下防止装置として取り付けた、三角錐状フロート及び左右の砂かき寄せ羽根は、深く掘る清掃には抵抗が大きく使用が困難である。また、補助輪と組み合わせた板状の沈下防止具は、移動のために起伏のある地面や階段を走行するとき、沈下防止用の板が邪魔になり補助輪が浮上してしまい役に立たないと言う問題があった（特許文献３参照）。
【特許文献１】特開平１１−１７２６４７号公報
【特許文献２】実用新案登録第３０９６６７９号公報
【特許文献３】特開２００１−１６４５３４号公報
【発明の開示】
【発明が解決しようとする課題】
【０００４】
本発明者は、長年砂場の清掃作業に従事して砂場の清掃作業の実務から得た経験に基づいて鋭意研究した結果、清掃専用機である従来の砂場清掃機を改良して、車体の走行を停止して篩機としても使用できて、しかも、従来の篩を小刻みに振動させるよりも適宜距離をおいて篩を水平に往復運動させ、更に往復運動と上下方向の衝撃を組み合わせることによって、篩作用による夾雑物の分別能力が格段に向上することを知見して本発明に想到したものであって、本発明の目的は、前記のような問題点を解消して、砂場清掃機としての機能と共に、車体の走行を停止した状態で作業を行う篩機としての機能を併有し、しかも、効率よく素早く夾雑物を選別して取り除き、砂場を安全且つきれいに清掃するための砂場清掃篩機を提供することを目的とする。
【課題を解決するための手段】
【０００５】
前記の課題を解決するために、本発明は、左右一対の走行用車輪、該走行用車輪を回転させる原動機及びハンドルを備えた車体と、前記走行用車輪の後ろ側に夾雑物の混入した砂等を掻き上げる複数枚の砂掻片が円周方向に配設されたローターと、前記ローターの後ろ側に夾雑物の混入した砂をほぼ水平方向に往復運動する網の上に載せて夾雑物を分別する網状の篩籠と、該篩籠の左右両側に高さ調節可能に設けられた支持脚部の先端に補助車輪と交換可能に取り付けられた足板部と、前記篩籠が作動中において前記篩籠を水平又は水平に近い適宜角度に維持するための水平調節手段と、前記原動機の回転運動を減速し、クランク機構によって往復運動に変えて篩籠に伝達する伝動機構とを備えてなる砂場清掃篩機であって、前記車体を走行させながら作業を行う砂場清掃機としての機能と共に、車体の走行を停止した状態で作業を行う篩機としての機能を有することを特徴とする砂場清掃篩機とする（請求項１）。
【０００６】
また、前記の課題を解決するために、本発明は、前記篩籠は、車体に連結された躯体部底部に設けられた篩籠支持用車輪の上に水平方向に移動自在に且つ着脱自在に載置され、前記躯体部は、左右両側に設けられた、長さ調節自在で、その先端には足板部が補助車輪と交換可能に取り付けられてなる支持脚部に支持され、前方部が水平調節手段を介して車体に連結され、前記水平調節手段の切り換えによって、砂場清掃機及び篩機の作動中において篩籠は水平又は水平に近い適宜角度に維持されることを特徴とする前記の砂場清掃篩機とすることが好ましい（請求項２）。
【０００７】
また、前記の課題を解決するために、本発明は、前記篩籠は、底部と側部の中の少なくとも底部に帳設される網が格子状又は櫛状の何れかからなり、これらの篩籠の何れかを選択して交換可能に取り付けてなることを特徴とする前記の砂場清掃篩機とすることが好ましい（請求項３）。
【０００８】
また、前記の課題を解決するために、本発明は、前記篩籠が、水平方向に往復運動すると共に持ち上げられ落下される動作を繰り返すことにより、又は外的手段により篩籠を叩いて篩籠に上下方向の衝撃が加えられることを特徴とする前記の砂場清掃篩機とすることが好ましい（請求項４）。
【０００９】
また、前記の課題を解決するために、本発明は、篩籠若しくは篩籠に取り付けられて篩籠とともに往復運動するものが、往復運動する前後方向において、それらが衝突する位置に弾性体を設け、この弾性体に衝突したときの反発力によって篩籠の篩作用を向上させることを特徴とする前記の砂場清掃篩機ことを特徴とする前記の砂場清掃篩機とすることが好ましい（請求項５）。
【００１０】
また、前記の課題を解決するために、本発明は、前記原動機の回転運動を減速し、クランク機構によって往復運動に変えて篩籠に伝達する伝動機構において、伝動シャフトは、大小２種類のシャフトが互いに入れ子式にスライドして伸縮自在に結合されてなり、その一方のシャフトのスライド部に適宜間隔を開けて複数の長孔が形成され、他方のシャフトのスライド部には丸孔が形成され、伝動シャフトが所望の長さになるように長孔を適宜選択して丸孔と重ね合わせ、両孔にピンを貫着し、両シャフトを長孔の距離の範囲内でスライド可能に結合してなり、前記篩籠が弾性体に衝突したときの反発力により前記２種類のシャフトが長孔の距離の範囲内でスライドすることによって、篩籠の往復運動に伴う方向転換をスムーズにし、併せて衝突による衝撃力を高めることを特徴とする前記の砂場清掃篩機とすることが好ましい（請求項６）。
【発明の効果】
【００１１】
本発明に係る砂場清掃篩機は、前述のように構成することによって、車体を走行させながら作業を行う砂場清掃機として使用する場合と、車体の走行及び前記ローターを停止した状態で篩機として使用する場合に、水平調節手段によって篩籠を水平乃至水平に近い適宜角度に維持することができるので、１台の砂場清掃篩機によって、従来の砂場清掃機と篩機としての二役の効果を奏する。
【００１２】
また、適宜距離に亘って篩を水平に往復運動させると共に、上下方向の衝撃を組み合わせることによって、篩作用による夾雑物の分別能力が増す。特に湿った状態の砂では、従来の篩を小刻みに振動させる砂場清掃機では砂に含まれる泥が金網に付着して目詰まりをおこし、作業が極端に低下するところ、本発明の砂場清掃篩機は、湿った状態の砂でも作業効率が倍加する。更に、前記躯体の前方部及び後方部の篩籠が衝突する位置に弾性体を設けたものは、篩籠がこの弾性体に衝突してその反発力によって篩籠の篩作用が向上するのでより効果が増大する。
【発明を実施するための最良の形態】
【００１３】
この発明を実施するための最良の形態（以下「実施の形態」と略称する）について図に基づいて説明する。しかして、本発明の砂場清掃篩機はこの実施の形態によって何ら制限されるものではない。図１は、本発明の実施の形態にかかる砂場清掃篩機を示す略側面図であり、図２は、本発明の実施の形態に係る砂場清掃篩機を篩機として使用する状態を示す略側面図であり、図３は、本発明の実施の形態に係る砂場清掃篩機の水平調節手段を示す説明図であり、図４は、本発明の実施の形態に係る砂場清掃篩機の篩籠に篩籠取付枠を取り付けた状態を示す側面図であり、図５は、同じく平面図及び側面図であり、図７は、同じく部分斜視図である。図６は、本発明の実施の形態に係る砂場清掃篩機の伝動シャフトの説明図である。
【００１４】
図１に示されるように、本発明の実施の形態にかかる砂場清掃篩機１は、左右一対の走行用車輪２、該走行用車輪を回転させる原動機３及びハンドル４を備えた車体５と、前記走行用車輪の後ろ側に砂等を掻き上げる複数枚の砂掻片６が円周方向に配設されたローター７と、前記ローターの後ろ側にほぼ水平方向に往復運動する網状の篩籠８と、該篩籠の左右両側に高さ調節可能に設けられた支持脚部９の先端に補助車輪１０と交換可能に取り付けられた足板部１１と、前記篩籠が作動中において前記篩籠を水平又は水平に近い適宜角度に維持するための水平調節手段１２と、前記原動機の回転運動を減速し、クランク機構１３によって往復運動に変えて篩籠に伝達する伝動機構１４とを備えてなる。
【００１５】
前記砂場清掃篩機１において、前記篩籠８は、車体５に連結された躯体部１５の内側にあって、底部の前後２箇所に設けられた一対の車輪１６，１６の上に前後方向に移動自在に且つ着脱自在に載置され、前記躯体部は、左右両側に設けられた、長さ調節自在で、その先端には足板部１１が補助車輪１０と交換可能に取り付けられてなる支持脚部９に支持され、前方部が水平調節手段１２を介して車体５に連結され、前記水平調節手段によって、砂場清掃機及び篩機の作動中において篩籠は水平又は水平に近い適宜角度に維持される。
【００１６】
図４に示すように、前記躯体部１５は矩形状の枠体からなり、その内側に篩籠８が前後に往復運動する間隙を保有して収納されている。躯体部１５の内側底部には、両端部に一対の車輪１６，１６が取り付けられた回転軸が前後２箇所に回転自在に取り付けられている。同図（ｂ）に示すように、前記車輪１６，１６には、躯体部１５の側面側にフランジ１６ａが形成されており、篩籠８は前後にある一対の車輪のフランジ１６ａの内側に載置され、躯体部の側面と接触しないように配置されている。図１に示すように、前記躯体部１５の左右の側面板には前後方向にスライド溝１４jが形成されており、このスライド溝１４jに篩籠取付枠１８の両端部がスライド自在に取り付けられている。
【００１７】
一方、図１に示すように、原動機３の回転運動はベルト１４ｇによって駆動プーリー１４ｆから連動プーリー１４ｄに伝えられ減速機（歯車列）で減速され、クランク機構１３（１３ａ，１３ｂ，１３ｃ）によって往復運動に変えられて、伝動シャフト１４等の伝動機構によって篩籠８に伝達される。また、他のクランク機構の例として、２個のクランクプーリー１３ａ’，１３ａ’が、その中心軸を連結して設けられ、この中の一方のクランクプーリー１３ａ’が、連動プーリー１４ｄと減速機（歯車列）１３ｄを介して連動するプーリー１４ｄ’とｖベルト１３ｅで連結されており、各クランクプーリー１３ａ’，１３ａ’は、それぞれ外伝動シャフト１４ｂ，１４ｂ及び内伝動シャフト１４ａ，１４ａを介して篩籠８に連結するように構成してもよい（図８参照）。そして、図５及び図７に示すように、回転する係止具１４ｑを縦長位置にして蝶ネジ１４ｐで締めて篩籠８が篩籠取付枠１８に着脱自在に取り付けられ、図４に示すように、自在ピン１４ｃによって伝動シャフト１４が篩籠取付枠１８に回転自在に連結されており、伝動シャフト１４がクランク機構１３によって往復運動するに伴って、篩籠取付枠１８の両端部がスライド溝１４jに沿ってスライドし、篩籠８が車輪１６，１６上で前後に往復運動するように構成される。
【００１８】
また、連動プーリー１４ｄと駆動プーリー１４ｆの中間にテンションプーリー１４ｅを設け、テンションプーリー１４ｅを断続レバー１４ｈ及びバネ１４iと連結し、断続レバー１４ｈを引き又は戻すことによって、原動機の回転運動をクランク機構へ伝動する経路を断続して篩籠の往復運動を作動若しくは停止することができる。そして、原動機の回転運動は駆動プーリー１４ｆから別のベルトで減速装置に伝えられて減速され、続いてスプロケットとチェーンによってローター７を回転する。また、シフトレバー１９によってニュートラルを選択することによって、走行用車輪２を停止した状態で篩籠８を作動させることができる。この際、ローター７も同時に停止するように設定される。
【００１９】
次に、本発明の水平調節手段は、篩籠若しくは駆体部が作業中に水平又は水平に近い角度を保つように、篩籠若しくは駆体部を適宜角度にて車体と連結させるための連結具である。本実施の形態に係る砂場清掃篩機の水平調節手段について説明するが、係る実施の形態に限定されるものではない。図３に示すように、水平調節手段１２は、躯体部１５の前方下方部近辺において左右横方向に渡設した横桿１２ｃに固着されたＬ字片１２ａと、車体凸部５ａに固着された挟持部１２ｂからなる。Ｌ字片１２ａと挟持部１２ｂには、適宜間隔をあけて複数の貫通孔が穿孔されている。そして、Ｌ字片１２ａを挟持部１２ｂの隙間に挟み、両者の貫通孔の位置を適宜変えてボルトとナットで固定すれば、駆体部１５と車体の取り付け角度が自ずから決まり、作業中の篩籠８を水平に近い角度に維持することができる。
【００２０】
例えば、貫通孔ａとＡ、ｃとＢ、ｅとＣを重ね合わせて固定すると、図１に示すように躯体部１５及び篩籠８は、前方にやや傾いた状態で固定される。しかし、砂場清掃篩機１を砂場で走行すると、ローター７が砂を掻き上げながらローターの中心軸より深く沈下するので、その状態で篩籠８はほぼ水平に維持される。次に、走行を停止して篩機として作業する場合は、ローター７が地面より浮き上がる程度に支持脚部９を高く伸ばした状態で、貫通孔ｃとＡ、fとＢを重ね合わせて固定する。併せて、伝動シャフトの長さを調節する。これによって、躯体部１５及び篩籠８の前方が車体に対して持ち上げられた状態で固定されるので、躯体部１５及び篩籠８はほぼ水平に維持され、篩機として作業が可能となる（図２参照）。前記の水平調節手段において、挟持部１２ｂを省略してＬ字片１２ａに車体凸部５ａを直結してもよく、Ｌ字片１２ａの貫通孔に代えて貫通溝を設け、この貫通溝に車体凸部５ａの貫通孔を重ね合わせてボルトとナットで固定して連続的に傾きが調節できるように構成してもよい（図示せず）。
【００２１】
図１に示すように、前記ローター７は、走行用車輪２の後方側にあり、軸の両端に砂等を中間部に寄せるためのスクリュー状の巾寄せ羽根が設けられ（図示せず）、この両巾寄せ羽根の中間の２箇所に砂等を掻き上げる４枚の砂掻片６が円周方向に等間隔に配設されている。砂掻片６は根元側よりも先端側がやや幅広の板状で回転方向に湾曲している。砂掻片６の回転によって掻き上げられた砂等は後方に設けられた篩籠８に受け入れられる。ローター及び駆体部の上方部を覆うカバーシート２０と、その後端部から篩籠８に向けて斜めにガイド板２３が設けられており、砂掻片６によって掻き上げられた砂等の一部はカバーシート２０に当たってガイド板２３によって篩籠８に導かれる。また、カバーシート２０は、後端部から篩籠８上方部にかけて開口可能に設けられていて、篩機として用いる場合は前記シートを上方に持ち上げて開放し、スコップ等を使用してここから砂等を篩籠８に投入できるように構成されている。
【００２２】
更に、篩籠８が前後に往復運動するとともに、篩籠８に上下方向の衝撃が加えられることが本発明に係る砂場清掃篩機の特徴の１つである。篩籠８に上下方向の衝撃を加える方法については特に限定されない。例えば、図４に示すように、篩籠８における外底部の前記車輪１６と接する位置に突起２２を設けるか又は前記車輪１６の外周部における前記篩籠の外底部と接する位置に突起２２を設け（図示せず）、前記突起に当接させて篩籠８自体を持ち上げ、次いで上部の車輪１６’に当たって反発落下する動作を繰り返して、篩籠８に上下方向の衝撃を加える。前記車輪１６’を省略したものも本発明に含まれる。また、前記篩籠は、図５に示すように通常は格子状の網が使用される。しかし、草、植物の根や繊毛の多い砂場の場合は、これらが網に絡みついて網目を塞ぐために、何回も取り除かなければならず、作業に支障をもたらす。そこで、図５（ａ）円形枠中に示すように、少なくとも底部に帳設される網を格子状に代えて櫛状とすることが好ましい。通常は、櫛状の網を構成する線条が篩籠の往復運動の方向に対して直角方向に向くように取り付けることによって、草の根や繊毛のような糸状体を効率よく選別することができ、且つ網に残った草の根や繊毛をブラシで簡単に取り除くことができるので便利である。
【００２３】
前記篩籠８に上下方向の衝撃を加えるとともに、或いは上下方向の衝撃とは別に躯体部の前方部及び後方部の何れか又は両方の篩籠が衝突する位置に弾性体１７を設け、篩籠がこの弾性体１７に衝突してその反発力によって篩籠８の篩作用を向上させるものも本発明に含まれる（図４参照）。また、篩籠に取り付けられて篩籠とともに往復運動するもの、例えば、図４に示すように、篩籠取付枠１８が往復運動するスライド溝１４jにおいて、篩籠取付枠１８が衝突するスライド溝１４jの後端部に弾性体１７を設けてもよい。ここで、弾性体１７は、天然ゴム、合成ゴムなどの弾性体の他に広く発条等も含まれる。前記弾性体１７に篩籠を衝突させることと併せて、請求項６記載の伝動シャフトを採用することが好ましい。図６に示すように、２本の伝動シャフト（内伝動シャフト１４ａ及び外伝動シャフト１４ｂ）を互いに入れ子式にスライド可能に設け、内伝動シャフト１４ａに第１長孔、第２長孔のように複数の長孔１４ｋを形成し、外伝動シャフト１４ｂに１又は複数の丸孔１４ｌを形成する。丸孔１４ｌと重ね合わせる長孔１４ｋの位置を変えて連結ピン１４ｎを貫着して両シャフト１４ａ，１４ｂを連結して伝動シャフト１４の長さを調節できる（図６ｃ〜ｅ参照）。このようにして篩機仕様又は砂場清掃機仕様に合わせて篩籠の水平を調節する際に伝動シャフト１４の長さの調節が可能となる。
【００２４】
更に、篩籠８が弾性体１７に衝突する位置を本来の折り返し位置（クランクシャフトが水平になる位置）よりも若干手前側に設定する。篩籠８が弾性体１７に衝突する前に図６ｃの状態で矢印方向に牽引されているとき、篩籠８が勢いよく弾性体１７に衝突すると同時にその反動で篩籠８は瞬間的に折り返して逆進し、内伝動シャフト１４ａが外伝動シャフト１４ｂと逆方向（伸長方向）に進行し、つまり図６ｄの状態になるので、クランクの折り返し点に達するまで待たずに篩籠８は瞬時に方向転換することができる。また、内伝動シャフト１４ａと外伝動シャフト１４ｂが長孔の距離の範囲内でスライドすることによって、連結ピン及びクランクピンに掛かる負荷を緩和し、併せて篩籠の往復運動に伴う方向転換がスムーズに成される。この瞬時の方向転換によって篩籠が弾性体１７に衝突する衝撃力が増して篩効果がより増加する。且つ弾性体を設けることによって防音効果も増す。また、外伝動シャフト１４ｂに２個の丸孔１４ｌを設け、それに対応する内伝動シャフト１４ａに第１長孔を２個及び第２長孔を２個設け、２個の連結ピン１４ｎ，１４ｎで両シャフト１４ａ，１４ｂを連結してもよい（図４参照）。
【００２５】
また、本実施の形態に係る砂場清掃篩機において、躯体部を設けずに篩籠を直接往復運動させるように構成してもよく、また、伝動シャフト１４に代えて、ベルトとプーリー又は紐とロールとの組み合わせによる公知の伝動機構により構成してもよく、このような構成の砂場清掃篩機も本発明に含まれる。本実施の形態に係る砂場清掃篩機を構成する素材は特に限定されるものではないが、駆体部１５、篩籠８、支持脚部９、足板部１１及び水平調整手段１２等の素材は、なるべく軽量素材、例えば、アルミニウム、ジュラルミン、チタン等の金属、ポリカーボネート、ＦＲＰ、ＡＢＳ樹脂等の強度に優れるプラスチック等が好ましい。そして、軽量素材を使用することによって、操作及び作業効率が良くなる。
【実施例】
【００２６】
前記実施の形態に記載した砂場清掃篩機を作成して、非公開に砂場で清掃作業と篩作業を行った。本実施例において、篩籠の前後の往復運動の距離は１０ｃｍとし、往復運動の回数は毎秒約２〜６．５回に設定し、ローターの砂掻片の長さは１９〜２０ｃｍとした。先ず、砂場清掃篩機を砂場に輸送し、ローターの砂掻片の下端部が地面よりも浮き上がる程度に、支持脚部の長さを引き延ばして固定し、併せて、水平調節手段を篩作業の位置に固定した状態で篩作業を行った。次に、支持脚部の先端に足板部を取り付け、足板部がローターの砂掻片の下端部と軸の中間位に位置するように支持脚部の長さを設定した。更に、水平調節手段の貫通孔を適宜重ね合わせてボルト及びナットで固定した。この状態で砂場清掃作業を行った。次に、砂場清掃篩機を砂場から引き上げて、作業を終了後は、支持脚部から足板部を取り外して代わりに補助車輪を取り付けて砂場清掃篩機を所定の保管場所に移動した。
【００２７】
前記の砂場清掃作業及び篩作業を行った結果、従来１４〜１５ｃｍ位の深さしか清掃できなかったのが、２０ｃｍ以上の深さまで清掃ができるようになった。また、篩籠の目詰まりが少なくなり、作業効率が良くなった。特に湿った状態の砂では、従来の砂場清掃機に比較して作業効率が倍加した。更に、草の生えている砂場で、櫛状網を帳設した篩籠を取り付けて作業したところ、網に絡み付いた草の根や繊毛をブラッシングして取り除く手間が格段に短縮されるために、従来の砂場清掃機に比較して作業効率が数倍改善された。篩作業については、従来手作業で行っていたものを、本発明の砂場清掃篩機を使用することによって、従来少なくとも２人の作業員を要していたのが１人の作業員でできるようになったばかりでなく、作業時間の短縮が図られ作業が楽になった。また、砂場清掃篩機を移動する際に、補助車輪が地面に接地して回転するので、起伏のある地面や床面を走行する場合も問題なく移動できることが確認された。
【産業上の利用可能性】
【００２８】
本発明に係る砂場清掃篩機は、砂場清掃機としての機能と共に、篩機としての機能を併有し、作業効率の向上と経済的観点からも極めて有用である。
【図面の簡単な説明】
【００２９】
【図１】本発明の実施の形態に係る砂場清掃篩機を示す略側面図である。
【図２】本発明の実施の形態に係る砂場清掃篩機を篩機として使用する状態を示す略側面図及び連結状クランク部を示す説明図（丸枠内）である。
【図３】本発明の実施の形態に係る砂場清掃篩機の水平調節手段を示す説明図である。
【図４】本発明の実施の形態に係る砂場清掃篩機の篩籠に篩籠取付枠を取り付けた状態を示す側面図（ａ）及び車輪のフランジ部を示す説明図（ｂ）である。
【図５】本発明の実施の形態に係る砂場清掃篩機の篩籠に篩籠取付枠を取り付けた状態を示す平面図（ａ）、側面図（ｂ）及び櫛状網を示す説明図（丸枠内）である。
【図６】本発明の実施の形態に係る砂場清掃篩機の伝動シャフトの説明図である。
【図７】本発明の実施の形態に係る砂場清掃篩機の篩籠に篩籠取付枠を取り付けた状態を示す部分斜視図である。
【図８】本発明の実施の形態に係る砂場清掃篩機の他のクランク機構を示す説明図である。
【符号の説明】
【００３０】
１：砂場清掃篩機、２：走行用車輪、３：原動機、４：ハンドル、５：車体、５ａ：車体凸部、６：砂掻片、７：ローター、８：篩籠、９：支持脚部、１０：補助車輪、１１：足板部、１２：水平調節手段、１２ａ：Ｌ字片、１２ｂ：挟持部、１２ｃ：横桿、１３：クランク機構、１３ａ：クランク、１３ａ’：クランクプーリー、１３ｂ：クランクシャフト、１３ｃ：スライダ、１３ｄ：減速機、１３ｅ：ｖベルト、１３ｆ：クランクピン、１４：伝動シャフト、１４ａ：内伝動シャフト、１４ｂ：外伝動シャフト、１４ｃ：自在ピン、１４ｄ：連動プーリー、１４ｄ’：プーリー、１４ｅ：テンションプーリー、１４ｆ：駆動プーリー、１４ｇ：ベルト、１４ｈ：断続レバー、１４i：バネ、１４j：スライド溝、１４ｋ：長孔、１４ｌ：丸孔、１４ｎ：連結ピン、１４ｐ：蝶ネジ：、１４ｑ：係止具、１５：躯体部、１６，１６’：車輪、１６ａ：フランジ、１７：弾性体、１８：篩籠取付枠、１９：シフトレバー、２０：カバーシート、２１：ウエートバランサー、２２：突起、２３：ガイド板
【図１】
2008025209.tif 000003
【図２】
2008025209.tif 000004
【図３】
2008025209.tif 000005
【図４】
2008025209.tif 000006
【図５】
2008025209.tif 000007
【図６】
2008025209.tif 000008
【図７】
2008025209.tif 000009
【図８】
2008025209.tif 000010